(57)【要約】  スピーカー及びヘッドホンを提供する。スピーカースタンド（１）、磁石システム（２）及び振動システム（３）を備えるスピーカーにおいて、スピーカースタンド（１）には磁石システム（２）を配置するためのスルーホール（１１）が開けられ、磁石システム（２）は、内磁石リング（２１）と、内磁石リング（２１）の外側に嵌設される外磁石リング（２２）と、を含み、内磁石リング（２１）と外磁石リング（２２）との軸線は同じであり、外磁石リング（２２）の内周面と内磁石リング（２１）の外周面との間に間隙（３３）があり、且つ両者の磁極は異なり、外磁石リング（２２）及び内磁石リング（２１）の間隙（３３）に形成された磁力線が径方向に設けられ、振動システム（３）は、音ダイアフラム（３１）、一端が音ダイアフラム（３１）に接続されるボイスコイル（３２）と、ボイスコイル（３２）の他端に接続されるコイル（３４）と、を含み、コイル（３４）が間隙（３３）内に配置され、音ダイアフラム（３１）がスピーカースタンド（１）の一端部に接続されるスピーカー。この磁石システム（２）の設計によれば、磁気漏れ及びヒステリシス損失を減らし、磁力線の分布が均一且つ対称であることを確保し、歪みを低下させ、本来の音声を再生させて現実感を再現させる。【選択図】図１
2019506101.tif 000002
【特許請求の範囲】
【請求項１】
スピーカースタンド、磁石システム及び振動システムを備えるスピーカーにおいて、
前記スピーカースタンドには前記磁石システムを配置するためのスルーホールが開けられ、
前記磁石システムは、内磁石リングと、前記内磁石リングの外側に嵌設される外磁石リングと、を含み、前記内磁石リングの軸線は前記外磁石リングの軸線と同じであり、前記外磁石リングの内周面と前記内磁石リングの外周面との間に間隙があり、且つ両者の磁極は異なり、前記外磁石リング及び前記内磁石リングの前記間隙に形成された磁力線が径方向に設けられ、
前記振動システムは、音ダイアフラム、ボイスコイル及びコイルを含み、前記音ダイアフラム及び前記コイルはそれぞれ前記ボイスコイルの両端に設けられ、前記コイルは前記間隙内に配置され、前記音ダイアフラムは前記スピーカースタンドの一端部に接続されることを特徴とするスピーカー。
【請求項２】
前記外磁石リングは、それぞれリングの中心に向かう第１の内磁気端部及びリングの中心に背向する第１の外磁気端部を有する、エンド・ツー・エンドの複数の外磁気ユニットを含み、
前記内磁石リングは、それぞれリングの中心に向かう第２の内磁気端部及びリングの中心に背向する第２の外磁気端部を有する、エンド・ツー・エンドの複数の内磁気ユニットを含み、
前記第１の内磁気端部と前記第２の外磁気端部の磁極は異なることを特徴とする請求項１に記載のスピーカー。
【請求項３】
前記外磁気ユニットはＮ個設けられ、前記内磁気ユニットはＭ個設けられ、Ｎ=Ｍであり、且つＮ個の前記外磁気ユニットとＭ個の前記内磁気ユニットは１対１に対応して設けられることを特徴とする請求項２に記載のスピーカー。
【請求項４】
前記各外磁気ユニット及び前記各内磁気ユニットは何れも切断面が扇形又は矩形であり、或は前記各外磁気ユニット及び前記各内磁気ユニットは何れも柱状であることを特徴とする請求項２又は３に記載のスピーカー。
【請求項５】
前記磁石システムは、磁気シールド部品を更に含み、前記磁気シールド部品は前記音ダイアフラムに対向するように前記内磁石リング及び前記外磁石リングの一方側に設けられる第１の磁気シールドアセンブリと、前記内磁石リング及び前記外磁石リングの他方側に設けられる第２の磁気シールドアセンブリと、を含み、
前記第１の磁気シールドアセンブリは、環状であり且つ前記内磁石リングの一方側に固定される第１の内磁気部材と、前記第１の内磁気部材の外側に嵌設され且つ前記外磁石リングの一方側に固定される第１の外磁気部材と、を含み、前記第１の内磁気部材と前記第１の外磁気部材との両者の前記音ダイアフラムに対向する側面の磁極は異なり、且つ両者の間に閉鎖した第１の環状磁気回路が形成され、
前記第２の磁気シールドアセンブリは、環状であり且つ前記内磁石リングの他方側に固定される第２の内磁気部材と、前記第２の内磁気部材の外側に嵌設され且つ前記外磁石リングの他方側に固定される第２の外磁気部材と、を含み、前記第２の内磁気部材と前記第２の外磁気部材との両者の前記音ダイアフラムに背向する側面の磁極は異なり、且つ両者の間に閉鎖した第２の環状磁気回路が形成されることを特徴とする請求項１に記載のスピーカー。
【請求項６】
前記第１の内磁気部材及び前記第２の内磁気部材における前記内磁石リングに対向する側面は何れも前記内磁石リングの外周面の磁極と同じであり、前記第１の外磁気部材及び前記第２の外磁気部材における前記外磁石リングに対向する側面は何れも前記外磁石リングの内周面の磁極と同じであることを特徴とする請求項５に記載のスピーカー。
【請求項７】
前記スピーカースタンドは前記スルーホールの孔壁に、前記第１の外磁気部材の前記音ダイアフラム方向へのシフトを制限するための止めリングが突設され、前記止めリングは、前記スルーホールの前記音ダイアフラムに対面する端口に位置することを特徴とする請求項５又は６に記載のスピーカー。
【請求項８】
前記スピーカースタンドは、Ｕカップを更に含み、前記Ｕカップは、前記スピーカースタンドにおける前記音ダイアフラムに背を向ける側の端部に固定され、前記Ｕカップは開放型チャンバーを有し、前記開放型チャンバーの底壁に前記スルーホールと連通する貫通孔が開けられ、前記第２の内磁気部材と前記第２の外磁気部材が前記開放型チャンバーの底壁に固定されることを特徴とする請求項５又は６に記載のスピーカー。
【請求項９】
前記開放型チャンバーの底壁には前記貫通孔の外縁にあり、且つ前記貫通孔を囲み、前記音ダイアフラムの方向へ止め筒が突設され、前記止め筒の外壁と、前記開放型チャンバーの底壁及びチャンバー側壁とは、共に切断面がＵ型である環状溝を形成し、前記磁石システムは前記環状溝内に固定されることを特徴とする請求項８に記載のスピーカー。
【請求項１０】
前記開放型チャンバーの底壁に、前記間隙に向かって環状止めブロックが突設され、前記第２の外磁気部材と前記第２の内磁気部材とは、それぞれ前記環状止めブロックの両側に分けて配置されることを特徴とする請求項８に記載のスピーカー。
【請求項１１】
前記スピーカースタンドは、前記Ｕカップに対向する端面に、前記スルーホールの端口の縁部の周りに前記Ｕカップへ環状接続筒が突設され、前記環状接続筒の端面と前記Ｕカップの開口端の端面とは、超音波はんだ付けプロセスによって接合されることを特徴とする請求項８に記載のスピーカー。
【請求項１２】
前記スピーカースタンドは、開口を有し且つ環状である減衰プレートを更に含み、前記スピーカースタンドは、前記音ダイアフラムに背を向ける側の表面に、前記減衰プレートを収容するための環状収容溝が設けられ、且つ前記環状収容溝の底壁が前記減衰プレートに対向し且つ前記音ダイアフラムに向かって複数の支え孔が開けられることを特徴とする請求項１〜３の何れか１項に記載のスピーカー。
【請求項１３】
前記スピーカースタンドはオーディオ設備の出力リードに接続する回路板を更に含み、前記コイルはオーディオ信号の伝達を達成させるために前記回路板に接続され、前記環状収容溝の前記減衰プレートの開口に対向する底壁に、２つの止めリブが突設され、前記回路板は、２つの前記止めリブの間に固定されることを特徴とする請求項１２に記載のスピーカー。
【請求項１４】
前記スピーカースタンドは前記音ダイアフラムに対向する端面に、収容溝が凹んで設けられ、前記収容溝には、その溝底と溝壁との連接部に環状ステップが設けられ、前記音ダイアフラムの外縁が前記環状ステップのステップ面に固定されることを特徴とする請求項１〜３の何れか１項に記載のスピーカー。
【請求項１５】
ケースと、前記ケース内に設けられる請求項１〜１４の何れか１項に記載のスピーカーと、オーディオ設備に接続されてオーディオ信号を送信することに用いられる接続線と、を備え、前記接続線が前記コイルに電気的に接続されることを特徴とするヘッドホン。
【発明の詳細な説明】
【技術分野】
【０００１】
本発明は電子製品の技術分野に関し、特にスピーカー及びヘッドホンに関する。
【背景技術】
【０００２】
生活レベルの向上に伴って、人々の仕事や生活等の方面から受けるストレスも絶えず増加しており、音楽は、人々のストレスを緩和する効果的な手段の一つになっている。ヘッドホンが絶え間なく更新され改良されるにつれて、人々のヘッドホンの音質に対する要求もますます厳しくなっている。
【０００３】
スピーカーは、ヘッドホンの発声素子であり、スピーカーの中で音効を制御する肝心な設計は磁気回路の設計であり、従来の磁気回路構造は殆ど内磁気型構造であり、磁力線の分布は不均一かつ非対称であり、スピーカーにより送信される音声は酷く歪み、ヘッドホンのユーザー体験を低下させてしまう。
【発明の概要】
【発明が解決しようとする課題】
【０００４】
本発明はスピーカー及びヘッドホンを提供することを目的とし、磁力線の分布が不均一かつ非対称であることで、送信される音声が歪む問題を解決することを旨とする。
【課題を解決するための手段】
【０００５】
本発明の上記技術的課題を解決するための技術的解決手段は以下の通りである。
スピーカースタンド、磁石システム及び振動システムを備えるスピーカーにおいて、
前記スピーカースタンドには前記磁石システムを配置するためのスルーホールが開けられ、
前記磁石システムは、内磁石リングと、前記内磁石リングの外側に嵌設される外磁石リングと、を含み、前記内磁石リングの軸線は前記外磁石リングの軸線と同じであり、前記外磁石リングの内周面と前記内磁石リングの外周面との間に間隙があり、且つ両者の磁極は異なり、前記外磁石リング及び前記内磁石リングの前記間隙に形成された磁力線は径方向に設けられ、
前記振動システムは、音ダイアフラム、ボイスコイル及びコイルを含み、前記音ダイアフラム及び前記コイルはそれぞれ前記ボイスコイルの両端に設けられ、前記コイルは前記間隙内に配置され、前記音ダイアフラムは前記スピーカースタンドの一端部に接続されることを特徴とするスピーカーを提供する。
【０００６】
更に、前記外磁石リングは、それぞれリングの中心に向かう第１の内磁気端部及びリングの中心に背向する第１の外磁気端部を有する、エンド・ツー・エンドの複数の外磁気ユニットを含み、
前記内磁石リングは、それぞれリングの中心に向かう第２の内磁気端部及びリングの中心に背向する第２の外磁気端部を有する、エンド・ツー・エンドの複数の内磁気ユニットを含み、
前記第１の内磁気端部と前記第２の外磁気端部の磁極は異なる。
【０００７】
好ましくは、前記外磁気ユニットはＮ個設けられ、前記内磁気ユニットはＭ個設けられ、Ｎ=Ｍであり、且つＮ個の前記外磁気ユニットとＭ個の前記内磁気ユニットは１対１に対応して設けられる。
【０００８】
更に、前記各外磁気ユニット及び前記各内磁気ユニットは何れも切断面が扇形又は矩形であり、或は前記各外磁気ユニット及び前記各内磁気ユニットは何れも柱状である。
【０００９】
更に、前記磁石システムは、磁気シールド部品を更に含み、前記磁気シールド部品は前記音ダイアフラムに対向するように前記内磁石リング及び前記外磁石リングの一方側に設けられる第１の磁気シールドアセンブリと、前記内磁石リング及び前記外磁石リングの他方側に設けられる第２の磁気シールドアセンブリと、を含み、
前記第１の磁気シールドアセンブリは、環状であり且つ前記内磁石リングの一方側に固定される第１の内磁気部材と、前記第１の内磁気部材の外側に嵌設され且つ前記外磁石リングの一方側に固定される第１の外磁気部材と、を含み、前記第１の内磁気部材と前記第１の外磁気部材との両者の前記音ダイアフラムに対向する側面の磁極は異なり、且つ両者の間に閉鎖した第１の環状磁気回路が形成され、
前記第２の磁気シールドアセンブリは、環状であり且つ前記内磁石リングの他方側に固定される第２の内磁気部材と、前記第２の内磁気部材の外側に嵌設され且つ前記外磁石リングの他方側に固定される第２の外磁気部材と、を含み、前記第２の内磁気部材と前記第２の外磁気部材との両者の前記音ダイアフラムに背向する側面の磁極は異なり、且つ両者の間に閉鎖した第２の環状磁気回路が形成される。
【００１０】
好ましくは、前記第１の内磁気部材及び前記第２の内磁気部材における前記内磁石リングに対向する側面は何れも前記内磁石リングの外周面の磁極と同じであり、前記第１の外磁気部材及び前記第２の外磁気部材における前記外磁石リングに対向する側面は何れも前記外磁石リングの内周面の磁極と同じである。
【００１１】
更に、前記スピーカースタンドは前記スルーホールの孔壁に、前記第１の外磁気部材の前記音ダイアフラム方向へのシフトを制限するための止めリングが突設され、前記止めリングは、前記スルーホールの前記音ダイアフラムに対面する端口に位置する。
【００１２】
更に、前記スピーカースタンドはＵカップを更に含み、前記Ｕカップは、前記スピーカースタンドにおける前記音ダイアフラムに背を向ける側の端部に固定され、前記Ｕカップは開放型チャンバーを有し、前記開放型チャンバーの底壁に前記スルーホールと連通する貫通孔が開けられ、前記第２の内磁気部材と前記第２の外磁気部材が前記開放型チャンバーの底壁に固定される。
【００１３】
更に、前記開放型チャンバーの底壁は前記貫通孔の外縁にあり、且つ前記貫通孔を囲み、前記音ダイアフラムの方向へ止め筒が突設され、前記止め筒の外壁と、前記開放型チャンバーの底壁及びチャンバー側壁とは、共に切断面がＵ型である環状溝を形成し、前記磁石システムは前記環状溝内に固定される。
【００１４】
更に、前記開放型チャンバーの底壁に、前記間隙に向かって環状止めブロックが突設され、前記第２の外磁気部材と前記第２の内磁気部材とは、それぞれ前記環状止めブロックの両側に分けて配置される。
【００１５】
更に、前記スピーカースタンドにおいて、前記Ｕカップに対向する端面にあり且つ前記スルーホールの端口の縁部の周りに前記Ｕカップへ環状接続筒が突設され、前記環状接続筒の端面と前記Ｕカップの開口端の端面とは、超音波はんだ付プロセスによって接合される。
【００１６】
更に、前記スピーカースタンドは、開口を有し且つ環状である減衰プレートを更に含み、前記スピーカースタンドは、前記音ダイアフラムに背を向ける側の表面に、前記減衰プレートを収容するための環状収容溝が設けられ、且つ前記環状収容溝の底壁が前記減衰プレートに対向し且つ前記音ダイアフラムに向かって複数の支え孔が開けられる。
【００１７】
更に、前記スピーカースタンドは、オーディオ設備の出力リードに接続する回路板を更に含み、前記コイルはオーディオ信号の伝達を達成させるために前記回路板に接続され、前記環状収容溝の前記減衰プレートの開口に対向する底壁に、２つの止めリブが突設され、前記回路板は、２つの前記止めリブの間に固定される。
【００１８】
更に、前記スピーカースタンドは前記音ダイアフラムに対向する端面に、収容溝が凹んで設けられ、前記収容溝には、その溝底と溝壁との連接部に環状ステップが設けられ、前記音ダイアフラムの外縁が前記環状ステップのステップ面に固定される。
【００１９】
本発明は、ケースと、前記ケース内に設けられる上記のようなスピーカーと、オーディオ設備に接続されてオーディオ信号を送信することに用いられる接続線と、を備え、前記接続線が前記コイルに電気的に接続されるヘッドホンを更に提供する。
【発明の効果】
【００２０】
従来技術と比べて、本発明は以下の技術効果がある。磁化装置によって内磁石リング及び外磁石リングに対して径方向に磁化して、内磁石リングと外磁石リングとの間隙に径方向の磁力線を発生させる。外磁石リングの内周面と内磁石リングの外周面との磁極が異なり、内磁石リングの外周面と外磁石リングとの内周面が互いに平行であり、且つその軸線に平行であると、間隙において分布が均一であり且つ中心対称である径方向の磁力線が生じ、つまり環状の径方向磁場が形成される。そして、ボイスコイルは、一端が音ダイアフラムに固定して接続され、他端がコイルに接続される。このコイルは、間隙内に挿入され、オーディオ設備から送信されるオーディオ電気信号を受信し、コイルによって変わったオーディオ電気信号を入力することで、間隙内の均一且つ対称である径方向磁場との電磁誘導を発生させており、左手の法則の原理によると、幅が不均一であり且つ軸線に沿った駆動力を発生して、振動システムを往復して直線運動するように駆動し、これによってオーディオ電気信号を音声信号に変換する。このスピーカーは、一般的に、ヘッドホン内に適用されるが、これに限定されない。内磁石リング及び外磁石リングに対して径方向に磁化して、内磁石リング及び外磁石リングに磁気を持たせ、且つ間隙内で分布が均一で且つ対称である磁力線を発生して、ボイスコイルが軸方向の力のみを受けて、音ダイアフラムを連動させて振動するようにする。この磁石システムの設計によれば、磁気漏れ及びヒステリシス損失を減らし、磁力線の分布が均一且つ対称であることを確保し、歪みを低下させ、本来の音声を再生させて現実感を再現させる。
【図面の簡単な説明】
【００２１】
【図１】本発明の実施例による小型スピーカーの立体分解図である。
【図２】図１に示す中線Ａ-Ａに沿った断面図である。
【図３】本発明の実施例による内磁石リングと外磁石リングの径方向での断面図である。
【図４】図２に示すＥ点の拡大図である。
【図５】本発明の実施例によるスピーカースタンドの立体図である。
【図６】図５に示すスピーカースタンドの裏面の立体図である。
【図７】本発明の実施例によるＵカップの立体図である。
【発明を実施するための形態】
【００２２】
本発明の目的、技術的解決手段及び利点をより明らかにするために、以下、図面及び実施例を参照して本発明をより詳細に説明する。ここで説明される具体的な実施例は、本発明を解釈するためのものに過ぎず、本発明を限定するためのものではないことを理解すべきである。
【００２３】
なお、素子が別の素子に「固定される」又は「設けられる」と言及される場合、直接別の素子に、或は第３の部材によって間接的に別の素子に固定され又は設けられてもよい。ある素子が別の素子「に接続される」と言及される場合、直接別の素子に接続されてもよいし、或は第３の部材によって間接的に別の素子に接続されてもよい。
【００２４】
なお、本実施例における左、右、上、下等の方位用語は、互いに相対的な概念であり、又は製品の正常な使用状態を参照とするものであるが、限定的なものと認めるべきではない。
【００２５】
図１〜図４を同時に参照されたい。本発明は、スピーカースタンド１と、磁石システム２と、振動システム３と、を備えるスピーカーを提供する。
【００２６】
スピーカースタンド１には、磁石システム２を配置するためのスルーホール１１が開けられる。
【００２７】
磁石システム２は、内磁石リング２１及び内磁石リング２１の外側に嵌設される外磁石リング２２を含み、内磁石リング２１の軸線は外磁石リング２２の軸線と同じであり、外磁石リング２２の内周面と内磁石リング２１の外周面との間に均一な間隙３３があり、且つ両者の磁極は異なり、外磁石リング２２と内磁石リング２１との間隙３３に形成された磁力線が径方向に設けられ、つまり径方向の磁力線を形成する。
【００２８】
振動システム３は、音ダイアフラム３１と、一端が音ダイアフラム３１に接続されるボイスコイル３２と、ボイスコイル３２の他端に接続されるコイル３４と、を含み、コイル３４は間隙３３内に置かれ、音ダイアフラム３１がスピーカースタンド１の一端部に接続される。
【００２９】
本実施例において、内磁石リング２１と外磁石リング２２との間の間隙３３に径方向の磁力線を発生させるように、磁化装置によって内磁石リング２１及び外磁石リング２２に対して径方向に磁化する。外磁石リング２２の内周面と内磁石リング２１の外周面との間の磁極は異なり、内磁石リング２１の外周面と外磁石リング２２の内周面とが互いに平行であり、且つその軸線に平行であると、間隙３３において分布が均一且つ対称である径方向の磁力線が生じ、つまり環状の径方向磁場が形成される。そして、ボイスコイル３２は、一端が音ダイアフラム３１に固定して接続され、他端がコイル３４に接続される。前記コイル３４は、間隙３３内に挿入され、オーディオ設備から送信されるオーディオ電気信号を受信し、コイル３４によって変わったオーディオ電気信号を入力することで、間隙３３内の均一且つ対称である径方向磁場との電磁誘導を発生させており、左手の法則の原理によると、幅が不均一であり且つ軸線に沿った駆動力を発生して、コイル３４の径方向磁場における直線往復運動が確保され、振動システム３の分割振動を減らし、音声の現実的再現を保証し、オーディオ電気信号を音声信号に変換する。また、本実施例において、従来のポールピース及び下部磁気伝導板の設計を取り消し、従来の軟鋼製の磁気伝導板の設計の代わりに磁石を使用する。このスピーカーは、一般的に、ヘッドホン内に適用されるが、これに限定されない。内磁石リング２１及び外磁石リング２２に対して径方向に磁化することで、内磁石リング２１及び外磁石リング２２に磁気を持たせ、且つ間隙３３内で分布が均一で且つ対称である磁力線を発生して、ボイスコイル３２が軸方向の力のみを受けて、音ダイアフラム３１を連動させて振動するようにして、スピーカーにより出力されるオーディオ効果の現実度を向上させ、ユーザーの体験性を向上させる。そのため、この磁石システム２の設計によれば、磁気漏れ及びヒステリシス損失を減らし、磁力線の分布が均一且つ対称であることを確保し、歪みを低下させ、本来の音声を再生させて現実感を再現させる。
【００３０】
具体的には、コイル３４は、ボイスコイル３２の一端の外壁に導線を巻き付けて形成され、コイルの幅を示す巻き幅という重要なバラメータを有する。本実施例において、巻き幅は全部間隙３３内に置かれる。
【００３１】
本実施例において、内磁石リング２１と外磁石リング２２とで間隙３３内に形成された磁力線の方向は何れもリングの中心へ向けられている。
【００３２】
具体的には、音ダイアフラム３１は、中空の内環状膜３１１と、スピーカースタンド１の一端面に固定される外環状膜３１２と、内環状膜３１１と外環状膜３１２との間に位置し且つ切断面が円弧状である中環状膜３１３と、を含む。中環状膜３１３の円弧状の開口はボイスコイル３２に向かうので、ボイスコイル３２は、中環状膜３１３を弾性変形するように引いて、更に中環状膜３１３を振動させ、且つ円弧状である中環状膜３１３及び中空の内環状膜３１１によって、変形振動を達成して、オーディオ電気信号を送信することができる。中環状膜３１３のボイスコイル３２に対向する表面に、スリップ状であり内環状膜３１１から外環状膜３１２へ放射して均一に分布する複数の補強リブ３１４が設けられ、ボイスコイル３２の一端が中環状膜３１３に固定される。補強リブ３１４は、音ダイアフラム３１の剛性を増加するとともに、オーディオを改善することができるため、オーディオを出力するための製品の品質を向上させる。ボイスコイル３２は耐高温且つ高粘着性の接着剤によって中環状膜３１３の表面に粘着され、コイル３４によって変わったオーディオ電気信号を入力することで、間隙３３内の径方向磁場との電磁誘導を発生して、幅が不均一であり軸方向に沿った駆動力を発生し、振動システム３を往復して直線運動するように駆動し、更にオーディオ電気信号を音声信号に変換する。音ダイアフラム３１は、ＰＥＴ、ＰＥＥＫ、ＰＡＲ及びＰＥＩ等の何れの新型高分子材料から形成された単層のダイヤフラムに、音ダイアフラム３１の剛性を増やし高周波に延ばすために、チタンをメッキして複合されたものである。
【００３３】
具体的には、コイル３４は、間隙３３内に自由に挿入することができ、つまりコイル３４と外磁石リング２２の内周面との間にも間隙があり、またボイスコイル３２の挿入端の内表面と内磁石リング２１の外周面との間にも間隙がある。
【００３４】
更に、図１〜図４を同時に参照されたい。外磁石リング２２は、エンド・ツー・エンドの複数の外磁気ユニット２２１を含む。各外磁気ユニット２２１は、リングの中心に向かう第１の内磁気端部２２１１及びリングの中心に背向する第１の外磁気端部２２１２を有する。内磁石リング２１は、エンド・ツー・エンドの複数の内磁気ユニット２１１を含む。各内磁気ユニット２１１は、リングの中心に向かう第２の内磁気端部２１１１及びリングの中心に背向する第２の外磁気端部２１１２を有する。第１の内磁気端部２２１１と第２の外磁気端部２１１２との磁極は異なる。
【００３５】
磁化装置によって各内磁気ユニット２１１及び各外磁気ユニット２２１を磁化し、それぞれ均一の磁力線を発生させることにより、複数の内磁気ユニット２１１のエンドがお互いにつながって内磁石リング２１になり、複数の外磁気ユニット２２のエンドがお互いにつながって外磁石リング２２になる。本実施例において、隣接する２つの内磁気ユニット２１１が側面で接合し、同様に、隣接する２つの外磁気ユニット２２が側面で接合し、このように接合されると、複数の内磁気ユニット２１１が内磁石リング２１として接合され、複数の外磁気ユニット２２１が外磁石リング２２として接合されるので、内磁石リング２１の外周面と外磁石リング２２の内周面との磁極が異なるようになる。この磁石システムの設計により、磁気漏れ及びヒステリシス損失を更に減らし、更に磁力線の分布が均一且つ対称であることを確保し、更に歪みを低下させ、本来の音声を再生させ現実感を再現させる。それと同時に、コイル３４の径方向磁場における直線往復運動が確保され、振動システムの分割振動を減らし、音声の現実的再現を保証し、オーディオ電気信号を音声信号に変換する。
【００３６】
図１〜図４を同時に参照されたい。好ましくは、外磁気ユニット２２１はＮ個設けられ、内磁気ユニット２１１はＭ個設けられ、Ｎ=Ｍであり、且つＮ個の外磁気ユニット２２１とＭ個の内磁気ユニット２１１は１対１に対応して設けられる。このように設けると、外磁気ユニット２２１の第１の内磁気端部２２１１と内磁気ユニット２１１の第２の外磁気端部２１１２とが対向するようになり、且つ互いに平行であり、両者の間隙３３内における磁力線の均一性が接合のすきまにより影響されることはなく、間隙３３内の磁力線の分布が均一且つより信頼性が増す。
【００３７】
更に、図１及び図３を同時に参照されたい。各外磁気ユニット２２１及び各内磁気ユニット２１１は何れも切断面が扇形又は矩形であり、或は各外磁気ユニット２２１及び各内磁気ユニット２１１は何れも柱状である。
【００３８】
本実施例において、各磁気ユニット２０の切断面は扇形である。
【００３９】
更に、図１〜図４を同時に参照されたい。磁石システム２は、電磁をシールドするための磁気シールド部品を更に含む。磁気シールド部品は、音ダイアフラム３１に対向するように内磁石リング２１及び外磁石リング２２の一方側に設けられる第１の磁気シールドアセンブリ４０と、内磁石リング２１及び外磁石リング２２の他方側に設けられる第２の磁気シールドアセンブリ５０と、を含む。
【００４０】
第１の磁気シールドアセンブリ４０は、環状であり且つ内磁石リング２１の一方側に固定される第１の内磁気部材４１と、第１の内磁気部材４１の外側に嵌設され且つ外磁石リング２２の一方側に固定される第１の外磁気部材４２と、を含む。第１の内磁気部材４１と第１の外磁気部材４２との両者の音ダイアフラム３１に対向する側面の磁極は異なり、且つ両者の間に閉鎖した第１の環状磁気回路が形成される。
【００４１】
第２の磁気シールドアセンブリ５０は、環状であり且つ内磁石リング２１の他方側に固定される第２の内磁気部材５１と、第２の内磁気部材５１の外側に嵌設され且つ外磁石リング２２の他方側に固定される第２の外磁気部材５２と、を含み、第２の内磁気部材５１と第２の外磁気部材５２との両者の音ダイアフラム３１に背向する側面の磁極は異なり、且つ両者の間に閉鎖した第２の環状磁気回路が形成される。
【００４２】
本実施例において、第１の環状磁気回路と第２の環状磁気回路は何れも閉鎖した環状磁気回路であり、閉鎖した環状磁気回路が内磁石リング２１或は外磁石リング２２の両側に設けられる。この環状磁気回路は、外界の電磁による均一である径方向の磁力線に対する干渉を効果的に避けるので、オーディオを出力するための製品の品質を更に向上させる。この磁気シールド部品を利用すると、磁石システム２の磁気回路の低磁気漏れ及び磁力線の対称が更に確保される。内磁石リング２１、外磁石リング２２を構成する複数の径方向に磁化された磁気ユニット２０を利用すると、主に、磁力線の均一性及び対称性が保証され、振動システム３の磁気回路での安定した直線往復運動が確保され、振動システム３の分割振動を減らし、音声の現実的再現を保証する。それと同時に、従来のポールピース及び下部磁気伝導板の設計を取り消し、従来の軟鋼製の磁気伝導板の設計の代わりに磁石を使用する。
【００４３】
具体的には、第１の内磁気部材４１と第２の内磁気部材５１とはそれぞれ内磁石リング２１の対向する両側に粘着される。第１の外磁気部材４２と第２の外磁気部材５２とはそれぞれ外磁石リング２２の対向する両側に粘着される。
【００４４】
本実施例において、第１の内磁気部材４１、第１の外磁気部材４２、第２の内磁気部材５１及び第２の外磁気部材５２は何れも環状の磁石である。
【００４５】
図１〜４を同時に参照されたい。好ましくは、第１の内磁気部材４１及び第２の内磁気部材５１における内磁石リング２１に対向する側面は何れも内磁石リング２１の外周面の磁極と同じである。第１の外磁気部材４２及び第２の外磁気部材５２における外磁石リング２２に対向する側面は何れも外磁石リング２２の内周面の磁極と同じである。
【００４６】
本実施例において、第１の磁気シールドアセンブリ４０と第２の磁気シールドアセンブリ５０を設置することにより、環状磁気回路を形成して外界の電磁干渉に抵抗可能となるのみならず、内磁石リング２１と外磁石リング２２とを磁化して、内磁石リング２１と外磁石リング２２との磁気を増強しし、内磁石リング２１と外磁石リング２２との磁気漏れ、或は長期の使用後に磁気の衰退によるオーディオ伝送の品質への影響を避けることもできる。
【００４７】
更に、図２及び図５を同時に参照されたい。スピーカースタンド１はスルーホール１１の孔壁に、第１の外磁気部材４２の音ダイアフラム３１方向へのシフトを制限するための止めリング１２が突設される。止めリング１２は、スルーホール１１の音ダイアフラム３１に対面する端口に位置し、第１の外磁気部材４２を軸方向で位置制限することに用いられる。
【００４８】
本実施例において、止めリング１２は、スルーホール１１の内壁に沿って周向に設けられるが、勿論、その設置形態はこれに限定されず、第１の外磁気部材４２を止めることができればよい。
【００４９】
更に、図１、図２及び図７を同時に参照されたい。スピーカーは、Ｕカップ６を更に含む。Ｕカップ６は、スピーカースタンド１における音ダイアフラム３１に背を向ける側の端部に固定され、開放型チャンバー６１を有し、開放型チャンバー６１の底壁にスルーホール１１と連通する貫通孔６２が開けられる。第２の内磁気部材５１と第２の外磁気部材５２は開放型チャンバー６１の底壁に固定される。
【００５０】
具体的には、貫通孔６２の直径は４ｍｍ〜１２ｍｍである。
【００５１】
更に、図１、図２及び図７を同時に参照されたい。開放型チャンバー６１の底壁は貫通孔６２の外縁があり、且つ貫通孔を囲み、音ダイアフラム３１の方向へ止め筒６３が突設される。止め筒６３の外壁と、開放型チャンバー６１の底壁及びチャンバー側壁とは、共に切断面がＵ型である環状溝６４を形成する。磁石システム２は環状溝６４内に固定される。
【００５２】
更に、図１、図２、図４及び図７を同時に参照されたい。開放型チャンバー６１の底壁に、間隙３３に向かって環状止めブロック６５が突設される。第２の外磁気部材５２と第２の内磁気部材５１とは、それぞれ環状止めブロック６５の両側に分けて配置されて、第２の外磁気部材５２と第２の内磁気部材５１とを仕切り、第２の外磁気部材５２と第２の内磁気部材５１が磁気吸引効果により結びつけられて磁石システム２の正常な動作に影響することを防止することに用いられる。
【００５３】
更に、図１、図２、図５及び図７を同時に参照されたい。スピーカースタンド１はＵカップ６に対向する端面に、スルーホール１１の端口の縁部の周りにＵカップ６へ環状接続筒１３が突設される。環状接続筒１３の端面とＵカップ６の開口端の端面とは、超音波はんだ付けプロセスによって接合され、Ｕカップ６の端面と環状接続筒１３の端面との密封接続を達成させ、埃や液体が環状溝６４内に入って磁石システム２の正常な動作に影響することを避ける。
【００５４】
具体的には、環状接続筒１３のＵカップ６に接合される端面はステップ状であり、それに応じて、Ｕカップ６の環状の接続筒１３に接合される端面もステップ状であり、且つ環状接続筒１３の端面の外形と一致する。
【００５５】
更に、図１、図２及び図５を同時に参照されたい。スピーカーは、開口７１を有し且つ環状である減衰プレート７０を更に含む。スピーカースタンド１は、音ダイアフラム３１に背を向ける側の表面に、減衰プレート７０を収容するための環状収容溝１４が開けられ、且つ環状収容溝１４の底壁が減衰プレート７０に対向し且つ音ダイアフラム３１に向かって複数の支え孔１５が開けられる。
【００５６】
具体的には、環状収容溝１４は、環状接続筒１３の周りに設けられる。減衰プレート７０は、複数の支え孔１５に被覆されて、ノイズや震動を減らす役割を果たす。
【００５７】
更に、図１、図２及び図５を同時に参照されたい。スピーカーは、オーディオ設備の出力リードに接続する回路板８０を更に含む。コイル３４はオーディオ信号の伝達を達成させるために回路板８０に接続される。環状収容溝１４の減衰プレート７０の開口７１に対向する底壁に、２つの止めリブ１６が突設される。回路板８０は、２つの止めリブ１６の間に固定される。
【００５８】
更に、スピーカースタンド１は音ダイアフラム３１に対向する端面に、収容溝１７が凹んで設けられる。収容溝１７はその溝底と溝壁との連接部に、環状ステップ１８が設けられる。音ダイアフラム３１の外縁は環状ステップ１８のステップ面に固定される。
【００５９】
具体的には、図１、図２及び図６を同時に参照されたい。音ダイアフラム３１の外環状膜３１２は環状ステップ１８のステップ面に固定される。
【００６０】
図１〜図７を同時に参照されたい。上記をまとめると、本実施例において、音ダイアフラム３１、ボイスコイル３２、スピーカースタンド１、内磁石リング２１、外磁石リング２２、第１の内磁気部材４１、第１の外磁気部材４２、第２の内磁気部材５１、第２の外磁気部材５２及びＵカップ６の軸線は何れも同じであり、且つ音ダイアフラム３１、ボイスコイル３２、スピーカースタンド１、内磁石リング２１、第１の内磁気部材４１、第２の内磁気部材５１及びＵカップ６の中心孔は何れも共通し且つ軸線は同一である。
【００６１】
図１〜図４を同時に参照されたい。本発明は、ケースと、ケース内に設けられる上記のようなスピーカーと、オーディオ設備に接続されてオーディオ信号を送信することに用いられる接続線と、を備え、接続線がコイル３４に電気的に接続されるヘッドホンを更に提供する。
【００６２】
本実施例において、上記のスピーカーをヘッドホンに適用し、内磁石リング２１及び外磁石リング２２に対して径方向に磁化することで、内磁石リング２１及び外磁石リング２２に磁気を持たせ、且つ間隙３３内で分布が均一で且つ対称である磁力線を発生して、ボイスコイル３２が軸方向の力のみを受けて、音ダイアフラム３１を連動させ振動するようにして、ヘッドホンにより出力されたオーディオ効果の現実度を向上させ、ヘッドホンのユーザー体験を向上させる。
【００６３】
上記は本発明の好ましい実施例に過ぎず、本発明を制限するためのものではなく、本発明の精神及び原則においてなされたあらゆる変更、等価な置換及び改良等は、本発明の保護範囲に含まれるはずである。
【符号の説明】
【００６４】
１  スピーカースタンド
２  磁石システム
３  振動システム
６  Ｕカップ
１１  スルーホール
２１  内磁石リング
２２  外磁石リング
３１  音ダイアフラム
３２  ボイスコイル
３４  コイル
３３  間隙
３１１  内環状膜
３１２  外環状膜
３１３  中環状膜
４０  第１の磁気シールドアセンブリ
５０  第２の磁気シールドアセンブリ
４１  第１の内磁気部材
５１  第２の内磁気部材
５２  第２の外磁気部材
１２  止めリング
６１  開放型チャンバー
６２  貫通孔
６３  止め筒
６４  環状溝
６５  環状止めブロック
１３  環状接続筒
７０  減衰プレート
７１  開口
１４  環状収容溝
１５  支え孔
８０  回路板
１６  止めリブ
１７  収容溝
１８  環状ステップ
２２１  外磁気ユニット
２２１１  第１の内磁気端部
２２１２  第１の外磁気端部
２１１  内磁気ユニット
２１１１  第２の内磁気端部
２１１２  第２の外磁気端部
３１４  補強リブ
【図１】
2019506101.tif 000003
【図２】
2019506101.tif 000004
【図３】
2019506101.tif 000005
【図４】
2019506101.tif 000006
【図５】
2019506101.tif 000007
【図６】
2019506101.tif 000008
【図７】
2019506101.tif 000009
【手続補正書】
【提出日】平成30年8月21日(2018.8.21)
【手続補正１】
【補正対象書類名】明細書
【補正対象項目名】００６２
【補正方法】変更
【補正の内容】
【００６２】
本実施例において、上記のスピーカーをヘッドホンに適用し、内磁石リング２１及び外磁石リング２２に対して径方向に磁化することで、内磁石リング２１及び外磁石リング２２に磁気を持たせ、且つ間隙３３内で分布が均一で且つ対称である磁力線を発生して、ボイスコイル３２が軸方向の力のみを受けて、音ダイアフラム３１を連動させ振動するようにして、ヘッドホンにより出力されたオーディオ効果の現実度を向上させ、ヘッドホンのユーザー体験を向上させる。さらに、外磁気ユニット２２１と内磁気ユニット２１１とで間隙３３内に形成された磁力線の方向は何れもリングの中心へ向けられている。第１の環状磁気回路は、第１の内磁気部材４１と第１の外磁気部材４２で形成され、第２の環状磁気回路は、第２の内磁気部材５１と第２の外磁気部材５２で形成され、ここで第１の環状磁気回路と第２の環状磁気回路はいずれも閉鎖した環状磁気回路であり、それらはそれぞれ内磁石リング２１及び外磁石リング２２の両側に設けられる。外磁気ユニット２２１と内磁気ユニット２１１の間に形成され、リングの中心へ向けられている上記磁力線が、第１の閉鎖した環状磁気回路と第２の閉鎖した環状磁気回路の間に配置されかつ保護されるように、閉鎖した環状磁気回路が、外界の電磁による均一である径方向の磁力線に対する干渉を効果的に避けるのでオーディオを出力するための製品の品質を更に向上させる。
【国際調査報告】
2019506101.tif 000010
2019506101.tif 000011
2019506101.tif 000012
2019506101.tif 000013
2019506101.tif 000014